(57)【特許請求の範囲】
【請求項１】
本体ケースの背面に設けられた背面カバーと、この背面カバーで囲まれた空間に配置され、排気管、給気管及び給排気筒を主体とした給排気装置とを備えた強制給排気式暖房機において、前記背面カバーは給排気装置の上方部を覆う上板と、給排気装置の側方部を覆う側板とで構成され、前記上板の長手方向の端部には下向きに折り曲げられた折曲片を設けるとともに、この折曲片の下部にビス穴を設け、前記本体ケースの背面の下部には取付片を設けるとともに、この取付片にビス穴を設け、前記側板は、前記折曲片のビス穴に対応する第１の取付穴を上部に設け、前記取付片のビス穴に対応する第２の取付穴を下部に設け、この第２の取付穴よりも下方位置で、かつ、第２の取付穴から離れた外側部の下端部に幅木を逃げる幅木回避段部を設け、前記取付片が嵌入係合し得る嵌合孔を前面側端部に折曲形成された取付部に設け、さらに、この側板は、前記折曲片と取付片の外側に重ねて、ビスを介して折曲片と取付片に着脱自在に取り付ける構成としたことを特徴とする強制給排気式暖房機。
【発明の詳細な説明】
【０００１】
【産業上の利用分野】
本発明は、本体ケースの背面に背面カバーを設け、この背面カバーで囲まれた空間に給気ホース、排気管及び給排気筒を主体とした給排気装置を備えた強制給排気式暖房機に関する。
【０００２】
【従来の技術】
図３は従来の強制給排気式暖房機の背方斜視図である。
【０００３】
従来のこの種の強制給排気式暖房機は、図３に示されるように、縦長箱体状に形成された本体ケース１の背面２に、この背面２と室壁等の設置壁との間に約１００ｍｍの隙間を設定するためのスペーサとしての背面カバー３を装着しており、この背面カバー３で囲まれた空間４に本体ケース１に内装した燃焼器の排気ガスを外部に排出するための排気管５、屋外空気を燃焼機に送り込むための給気管６及びそれらを接続した給排気筒７を主体とした給排気装置８を配置している。また、前記背面カバー３で囲まれた空間４に突出するように本体ケース１の背面２の上部には温風用送風機９を配置している。
【０００４】
前記背面カバー３は、給排気装置８及び温風用送風機９の上方部を覆う上板３Ａと、給排気装置８及び温風用送風機９の両側方部を覆う左右の側板３Ｂ、３Ｂとで構成されており、左右の側板３Ｂ、３Ｂは前面側端部が本体ケース１の背面２にビス１０、１０でビス止めされ、また、上板３Ａは左右の側板３Ｂ、３Ｂの上端部に被せられた状態で左右の側板３Ｂ、３Ｂにビス１１、１１でビス止めされている。
【０００５】
【発明が解決しようとする課題】
しかし、上述した従来の強制給排気式暖房機においては、背面カバー３の上板３Ａは左右の側板３Ｂ、３Ｂの上端部に被せられた状態で左右の側板３Ｂ、３Ｂにビス１１、１１でビス止めされていたため、上板３Ａは機器が設置状態であっても容易に取り外すことができるが、側板３Ｂ、３Ｂは機器全体を設置壁より大きく移動させないと取り外すことができないものであり、給排気装置の配管外れの確認や背面カバーの内側の掃除が行ないにくいばかりでなく、機器を設置する場合には、配管接続作業が繁雑になる問題があった。
【０００６】
本発明は、上述の実情に鑑みてなされたものであり、背面カバーの内側に配置された給排気装置の保守、点検が容易に行なえるようにするとともに、機器の設置工事性が高められるようにすることを目的としている。
【０００７】
【課題を解決するための手段】
即ち、本発明は、本体ケースの背面に設けられた背面カバーと、この背面カバーで囲まれた空間に配置され、排気管、給気管及び給排気筒を主体とした給排気装置とを備えた強制給排気式暖房機において、前記背面カバーは給排気装置の上方部を覆う上板と、給排気装置の側方部を覆う側板とで構成され、前記上板の長手方向の端部には下向きに折り曲げられた折曲片を設けるとともに、この折曲片の下部にビス穴を設け、前記本体ケースの背面の下部には取付片を設けるとともに、この取付片にビス穴を設け、前記側板は、前記折曲片のビス穴に対応する第１の取付穴を上部に設け、前記取付片のビス穴に対応する第２の取付穴を下部に設け、この第２の取付穴よりも下方位置で、かつ、第２の取付穴から離れた外側部の下端部に幅木を逃げる幅木回避段部を設け、前記取付片が嵌入係合し得る嵌合孔を前面側端部に折曲形成された取付部に設け、さらに、この側板は、前記折曲片と取付片の外側に重ねて、ビスを介して折曲片と取付片に着脱自在に取り付ける構成である。
【００１０】
【作用】
上記した構成により、本発明では、上板を本体ケースの背面に装着したままの状態で、給排気装置の側方部を覆う側板を取り外すことができるので、機器全体を設置壁から移動させなくても給排気装置の側方部は大きく開放され、この開放部分から給排気装置の接続部の外れや破損等を点検できるとともにそれら給排気装置の掃除も容易に行なえる。
【００１１】
また、機器を設置する場合には、背面カバーの上板は本体ケースに取り付けたままとし、側板は外した状態で機器を設置壁の前方に設置することにより、給排気装置の側方の開放部分から、作業者の手を本体ケースの後方空間に無理なく差し入れることができ、給排気装置の接続作業が簡便となる。
【００１２】
更に、強度上の弱点となる幅木回避段部は、それと反対側の端部に折曲形成された取付部によって補強される。
【００１３】
【実施例】
以下、本発明の実施例を図面に基づいて説明する。
【００１４】
図において、２０は室壁等の設置壁、２１は設置壁２０の前方に設置された強制給排気式暖房装置の本体ケースであり、この本体ケース２１の背面２２には、この背面２２と設置壁２０との間に約１００ｍｍの隙間を設定するためのスペーサとしての背面カバー２３を装着しており、この背面カバー２３で囲まれた空間２４には、給排気装置２５を配置している。
【００１５】
前記給排気装置２５は、本体ケース２１に内装した密閉型燃焼機（図示せず）の排気ガスを本体ケース２１の外部に排出するための排気管２６と、屋外空気を前記密閉型燃焼機に送り込むための給気ホース２７と、これら排気管２６及び給気ホース２７の先端部が室内側基部に接続される二重筒構造の給排気筒２８とを主体として構成され、前記給排気筒２８の先端部は設置壁２０を貫通して屋外に臨ませてある。２９は前記背面カバー２３で囲まれた空間２４に突出するように本体ケース２１を背面２２上部に配置された温風用送風機である。
【００１６】
次に、前記背面カバー２３について詳述する。この背面カバー２３は、前記給排気装置２５及び温風用送風機２９の上方部を覆う上板２３Ａと、前記給排気装置２５及び温風用送風機２９の側方部を覆う左右の側板２３Ｂ、２３Ｂとから構成されている。前記上板２３Ａは、前面側端部に折曲形成された取付部３０、３０を本体ケース２１の背面２２にビス３１、３１でビス止めすることにより、本体ケース２１に取り付けられており、また、この上板２３Ａの長手方向の両端部には、下向きに折り曲げられた折曲片３２、３２が一体に設けられ、これら折曲片３２の下部にそれぞれ複数のビス穴３３、３３を設けている。
【００１７】
前記左右の側板２３Ｂ、２３Ｂは、前記ビス穴３３、３３に対応する複数の第１の取付穴３４、３４が上部にそれぞれ設けられるとともに、下部には本体ケース２１の背面２２の下部に設けられた取付片３５、３５のビス穴３６に対応する第２の取付穴３７が設けられ、そして、これら側板２３Ｂ、２３Ｂは、図１に示すように、その前面側端部に折曲形成された取付部３０Ａに形成された縦長スリット状の嵌合孔４６を取付片３５に嵌入係合させるとともに、その上端部を折曲片３２の外側から重ね、その状態で、折曲片３２のビス穴３３、３３に第１の取付穴３４、３４を一致させるとともに、取付片３５のビス穴３６に第２の取付穴３７を一致させ、複数のビス３８、３８、３８を用いて、左右の側板２３Ｂ、２３Ｂを折曲片３２と取付片３５に取り付けている。また、前記取付片３５、３５は、折曲片３２、３２の略直下位置となるように、本体ケース２１の背面２２の適所を切り起こして形成したものである。なお、図２に示すように、側板２３Ｂ、２３Ｂには、前記ビス穴３６よりも下方位置で、かつ、このビス穴３６から離れた外側部の下端部に幅木４７を逃げる幅木回避段部４３、４３が形成されており、これによって側板２３Ｂ、２３Ｂを床面４４に達する程度にまで下方いっぱいに下げることが出来る。
【００１８】
また、前記背面カバー２３の上板２３Ａには、温風用送風機２９に対応するように掃除用開口３９が設けられ、この掃除用開口３９は開閉自在な蓋４０で覆われている。４１は掃除用開口３９に隣接させて、上板２３Ａの一端部に設けられた延長配管（図示せず）を貫通させるための開口となる切り取り部である。
【００１９】
本実施例によれば、本体ケース２１の背面２２に設けた背面カバー２３を、給排気装置２５及び温風用送風機２９の上方部を覆う上板２３Ａと、給排気装置２５及び温風用送風機２９の両側方部を覆う左右の側板２３Ｂ、２３Ｂとで構成し、上板２３Ａの長手方向の両端部にはそれぞれ下向きに折り曲げられた折曲片３２、３２を設け、これら折曲片３２、３２の略直下位置となる本体ケース２１の背面２２の下部には複数の取付片３５、３５を設け、両側板２３Ｂ、２３Ｂを折曲片３２、３２と取付片３５、３５の外側に重ね合わせ、こうして、両側板２３Ｂ、２３Ｂの上下部を折曲片３２、３２と取付片３６、３６に外側からビス３８でビス止めして、着脱自在に取り付けている。
【００２０】
そのため、図２に示すように、背面カバー２３の上板２３Ａを本体ケース２１の背面２２に装着したままの状態で、外側からビス３８を外して側板２３Ｂを取り外すことができ、側板２３Ｂで覆われていた排気装置２５及び温風用送風機２９の側部は広い範囲にわたって開放され、この開放部分から、排気管２６や給気ホース２７が接続された給排気筒２８の接続部分の外れや給気ホース２７の破損等を容易に目視できるばかりでなく、本体ケース２１の後方空間に置かれた排気管２６、給気ホース２７、給排気筒２８の室内側端部、及び温風用送風機２９等の各部品に付着した埃の除去も容易に行なえる。
【００２１】
また、機器を設置する場合には、背面カバー２３の上板２３Ａは本体ケース２１に取り付けたままとし、左右の側板２３Ｂ、２３Ｂを外した状態で機器を設置壁２０の前方に設置することにより、給排気装置２５の側方部が広範囲にわたり開放されるため、作業者は本体ケース２１の後方空間２４に無理なく手を差し入れることができる。そのため、設置壁２０に貫通固定させた給排気筒２８の室内側端部に、排気管２６や給気ホース２７を容易に接続することができ、給排気装置２５の接続作業が簡便化される。また、左右の側板２３Ｂ、２３Ｂは、排気管２６や給気ホース２７の接続作業が終了した後に、取り付ければ良い。
【００２２】
また、上述の実施例においては、側板２３Ｂの下部を取り付けるための取付片３６が本体ケース２１の背面２２の適所を切り起こして形成されているので、別部品の取付金具が不要となり、側板の取付構造を簡素化できる。
【００２３】
ところで、前記側板２３Ｂ、２３Ｂには、前記ビス穴３６よりも下方位置で、かつ、このビス穴３６から離れた外側部の下端部に幅木回避段部４３、４３が形成されており、側板２３Ｂ、２３Ｂはその幅木回避段部４３、４３で折曲フランジ４５がとぎれてしまうため、この部分が強度上の弱点となるので、強制給排気式暖房機の設置や移動、或いは強制給排気式暖房機の修理・点検に伴なう側板２３Ｂ、２３Ｂの取り付け・取り外しに際して、側板２３Ｂ、２３Ｂに横方向（図１矢印Ｆ方向）の外力が加わった場合には、幅木回避段部４３、４３で折曲線ＦＬに沿って折れ曲がってしまう虞がある。しかしながら、各側板２３Ｂの幅木回避段部４３とは反対側の端部（前面側端部）に折曲形成された取付部３０Ａは、嵌合孔４６が形成されていても下端部までとぎれることなく連続しているので、この取付部３０Ａが側板２３Ｂに作用する横方向の外力に対抗する形で幅木回避段部４３を補強する。従って、側板２３Ｂ、２３Ｂに横方向の外力が加わっても、幅木回避段部４３、４３で折れ曲がることはない。
【００２４】
なお、上述の実施例においては、側板２３Ｂの上下部をビス３８による取り付けとしたが、側板２３Ｂの上下部の一方を、係止爪と係合孔との係着による取り付けとし、他方のみをビス止めによる取り付けとしてもよい。
【００２５】
【発明の効果】
本発明は以上のように構成されているので、機器全体を設置壁から大きく移動させることなく、給排気装置の側方部を広範囲にわたって開放させることができ、給排気装置の接続部の外れや破損等の点検が容易になるとともに本体ケースの後方空間の掃除も容易に行なえるなど、保守、点検性に優れているばかりでなく、機器を設置する場合には、背面カバーの上板は本体ケースに取り付けたままとし、側板は外した状態で機器を設置壁の前方に設置することにより、給排気装置の側方の開放部分から、作業者の手を本体ケースの後方空間に無理なく差し入れることができ、給排気装置の接続作業が簡便となり、設置工事性の良好な強制給排気式暖房機を提供できる。
【００２６】
更に、強度上の弱点となる側板の幅木回避段部は、それと反対側の端部に折曲形成された取付部によって補強されるので、側板に横方向の外力が加わった場合に幅木回避段部で折れ曲がることを未然に防止することが可能となる。
【００２７】
また、本体ケースの背面の切り起こしによって出来る孔を側板の取付部で塞ぐ形となるので、都合がよい。その上、側板を本体ケースの背面に取り付ける際、側板の嵌合孔を取付片に引っ掛けた状態で作業できるので、楽である（特に、取付片が２個以上ある場合は安定する）。
【図面の簡単な説明】
【図１】本発明の一実施例を示す強制給排気式暖房機の一部分解状態の背方斜視図である。
【図２】同じく設置状態の側面図である。
【図３】従来の強制給排気式暖房機の背方斜視図である。
【符号の説明】
２１      本体ケース
２２      本体ケースの背面
２３      背面カバー
２３Ａ    上板
２３Ｂ    側板
２４      空間
２５      給排気装置
２６      排気管
２７      給気ホース（給気管）
３０Ａ    取付部
３２      折曲片
３５      取付片
４３      幅木回避段部
４５      折曲フランジ
４６      嵌合孔
【図１】
0003573793.tif 000002
【図２】
0003573793.tif 000003
【図３】
0003573793.tif 000004